(57)【特許請求の範囲】
【請求項１】
一酸化二窒素を含有するガス混合物を精製する方法において、少なくとも次の工程：
（I）一酸化二窒素を含有するガス混合物G-Iを少なくとも部分的に凝縮し、一酸化二窒素を含有する液体組成物Z-1を得る工程であって、ガス混合物G-Iの２０〜９９質量％が凝縮され、０．０１〜５体積％の酸素を含有するガス混合物G-Kを得る工程、
（II）前記組成物Z-1をガス混合物S-1と接触させ、組成物Z-2とガス混合物S-2を得る工程であって、ガス混合物S-1は、窒素、ヘリウム、ネオン、アルゴン、クリプトン、キセノン、水素、一酸化炭素、メタン及びテトラフルオロメタン並びにこれらの２つ以上の混合物からなる群から選択される工程、
を含む、一酸化二窒素を含有するガス混合物を精製する方法。
【請求項２】
工程（II）を連続的に実施する、請求項１に記載の一酸化二窒素を含有するガス混合物を精製する方法。
【請求項３】
工程（II）をバブルカラム内で実施する、請求項１又は２に記載の一酸化二窒素を含有するガス混合物を精製する方法。
【請求項４】
バブルカラムを向流で運転する、請求項３に記載の一酸化二窒素を含有するガス混合物を精製する方法。
【請求項５】
ガス混合物G-Iは、次の工程：
（A）少なくとも次の：
（i）溶剤混合物LM-I中にガス混合物G-0を吸着させ、オフガス流と組成物Z-Aを得る工程、
（ii）前記組成物Z-Aからガス混合物G-1を脱着し、溶剤混合物LM-I’を得る工程、
を有する、一酸化二窒素を含有するガス混合物G-0を処理してガス混合物G-Aを得る工程
を含む方法により得られる、請求項１から４までのいずれか１項に記載の一酸化二窒素を含有するガス混合物を精製する方法。
【請求項６】
工程（A）は更に工程（iii）と（iv）：
（iii）溶剤混合物LM-II中にガス混合物G-1を吸着させ、オフガス流と組成物Z-Bを得る工程、
（iv）前記組成物Z-Bからガス混合物G-2を脱着し、溶剤混合物LM-II’を得る工程
を含む、請求項５に記載の一酸化二窒素を含有するガス混合物を精製する方法。
【請求項７】
ガス混合物S-2を工程（A）に戻す、請求項５又は６に記載の一酸化二窒素を含有するガス混合物を精製する方法。
【請求項８】
ガス混合物S-2を工程（A）の工程（i）又は工程（iii）に戻す、請求項５から７までのいずれか１項に記載の一酸化二窒素を含有するガス混合物を精製する方法。
【発明の詳細な説明】
【技術分野】
【０００１】
本発明は、一酸化二窒素を含有するガス混合物を精製する方法に関し、該方法は一酸化二窒素を含有するガス混合物G-Iを少なくとも部分的に凝縮して一酸化二窒素を含有する液体組成物Z-1を得て、かつ前記組成物Z-1とガス混合物S-1を接触させて組成物Z-2とガス混合物S-2を得ることから成る。
【０００２】
従来技術からは一酸化二窒素の種々の製法ならびに精製方法が公知である。同様に、一酸化二窒素は例えばオレフィン用の酸化剤として使用できることが公知である。
【０００３】
WO98/25698には、酸素でのNH3の接触部分酸化により一酸化二窒素を製造する方法が開示されている。その際に、WO98/25698によれば酸化マンガン、酸化ビスマス及び酸化アルミニウムから成る触媒が使用されていて、高い選択率で一酸化二窒素を生じている。類似した触媒系は、科学論文において詳細に記載されている（Noskov et al., Chem. Eng. J. 91(2003)235-242）。US5849257によれば、同様にアンモニアの酸化による一酸化二窒素の製法が開示されている。この場合に、酸化銅−酸化マンガン触媒の存在で酸化が行われている。
【０００４】
WO00/01654によれば、NOxとアンモニアを含有するガス流を還元させることにより一酸化二窒素を製造する方法が開示されている。
【０００５】
一酸化二窒素によるオレフィン化合物のアルデヒド又はケトンへの酸化は、例えばGB649680又はこれと同等のUS2636898に記載されている。両方の文献には、原則的に適切な酸化触媒の存在で酸化を行えることが極めて一般に開示されている。
【０００６】
G.I.Panov et al.によるより新しい科学文献"亜酸化窒素でのアルケンの非触媒的液相酸化、1. シクロヘキセンのシクロヘキサノンへの酸化"、React. Kinet. Catal. Lett.第76巻、No.2（2002）401〜405頁及びK.A. Dubkov et al., "亜酸化窒素でのアルケンの非触媒的液相酸化、2. シクロペンテンのシクロペンタノンへの酸化"React. Kinet. Catal. Lett. 第77巻、No.1（2002）、197〜205頁には、同様に一酸化二窒素でのオレフィン化合物の酸化が記載されている。またAdv. Synth. Catal. 2004, 346, 268-274頁においてE. V.Starokon et al.による科学文献"亜酸化窒素でのアルケンのカルボニル化合物への液相酸化"にも、液相中の一酸化二窒素でアルケンでの酸化の機能的研究が含まれている。
【０００７】
アルケンと一酸化二窒素からのカルボニル化合物の合成は、種々の国際特許文献に記載されている。従って、WO 03/078370には、脂肪族アルケンと一酸化二窒素からのカルボニル化合物の製法が開示されている。２０〜３５０℃の範囲内の温度及び０．０１〜１００atmの圧力において反応が実施されている。WO 03/078374には、シクロヘキサノンの相応する製法が開示されている。WO 03/078372によれば、４〜５個の炭素原子を有する環状ケトンが製造されている。WO03/078375によれば、この方法条件下に、７〜２０個の炭素原子を有する環状アルケンから環状ケトンが製造される。WO03/078371には置換アルケンからの置換ケトンの製法が開示されている。WO04/000777には、一酸化二窒素とのジアルケン及びポリアルケンの、相応するカルボニル化合物への反応方法が開示されている。一酸化二窒素の精製はこの文献では言及されていない。
【０００８】
同様に、一酸化二窒素含有のオフガス流を更なる反応に使用することができることが公知である。一酸化二窒素は、種々の化学的プロセスで、特に硝酸での酸化の際に不所望な副生成物として生じ、かつシクロヘキサノン及び／又はシクロヘキサノールのアジピン酸への酸化の際には極めて多い。一酸化二窒素が不所望な副生成物として生じる他の例は、硝酸でのシクロドデカノン及び／又はシクロドデカノールのドデカンジカルボン酸への酸化、硝酸でのアセトアルデヒドのグリオキサールへの酸化ならびにNH3のNOへの部分的酸化である。
【０００９】
WO2005/030690、WO2005/030689及びWO2004/096745には、オレフィンを一酸化二窒素で酸化する方法が開示されている。すなわち、シクロドデカトリエン、シクロドデセン及びシクロペンテンの酸化が開示されている。３つの全ての文献には、他の一酸化二窒素源の他に、酸化剤として使用する前に例えば蒸留法により精製できるオフガス流を使用できることが開示されている。
【００１０】
一酸化二窒素を製造する際にも、またオフガス流を使用する際にもN2Oは初めに他の成分と一緒に希釈ガス混合物として生じる。これらの成分は、特殊な用途に妨げとなるものと、不活性に挙動するものに分けることができる。酸化剤として使用するために妨げとなるガスとして、特にNOx又は例えば酸素（O2）を挙げることができる。本発明の範囲内で解釈されるような"NOx"という用語は、N2Oの他に全ての化合物NaOb（aは１又は２であり、かつｂは１から６の数字である）を意味する。本発明の範囲内では"NOx"という用語の代わりに、"酸化窒素"という用語も使用される。妨げとなる副生成物として、NH3及び有機酸を挙げることができる。
【００１１】
特殊な用途には、使用される一酸化二窒素を反応前に精製する事が必要である。例えば、一酸化二窒素を酸化剤として使用するために、酸素又は酸化窒素NOxのような妨げとなる副成分を除去する必要がある。
【００１２】
NOxを分離するための方法は、原則的に従来技術から公知である。概要は、例えばM.Thiemann et alによるUllmann’s Encyclopedia第６版、2000、Electronic Edition、Kapitel"硝酸、亜硝酸及び酸化窒素"第1.4.2.3章に挙げられている。
【００１３】
明細書WO 00/73202には、NOx及びO2をN2O含有ガス流から取り除く方法が記載されている。NOxは、NH3との接触還元により除去でき、かつ酸素は水素又は他の還元剤との接触還元により除去できる。しかし、この方法は生成物がNH3で汚れるという欠点を有する。酸素の著しい消費は、本来含有されている量の例えば３〜５％のN2Oの損失が認容である場合にだけ可能である。
【００１４】
特殊な用途のために、不活性化合物を分離することも重要である。それというのも、希釈によりN2Oとの所望の反応を遅くすることができるからである。本発明の範囲内で使用されているような"不活性ガス"という用語は、N2Oとオレフィンの反応に関して不活性のままである、すなわちN2Oとオレフィンの反応の条件下に、オレフィンともN2Oとも反応しないガスを意味する。不活性ガスとして例えば、窒素、二酸化炭素、アルゴン、メタン、エタン及びプロパンが挙げられる。しかし、不活性ガスは空時収率を下げ得るので、減損は同様に有利であり得る。しかし、同様に二酸化炭素のような不活性ガスを含有しているガス混合物を得るのが有利であり、かつ更なる反応で直接に使用することができる。
【００１５】
DE2732267A1には、例えば一酸化二窒素を精製する方法が開示されていて、その際に、まず一酸化二窒素、二酸化窒素、二酸化炭素及び水が除去され、かつ引き続きガス混合物は４０〜３００barまでの圧縮及び０〜−８８℃までの冷却により液化される。次にこの液化ガス混合物からは、一酸化二窒素が分離される。確かにこの方法は、N2Oの精製と濃縮を達成するが、しかし必要とされる高圧（６０bar）、低温（−８５℃）ひいてはこれに伴う高い投資により経済的に魅力的ではない。
【００１６】
US4177645には、一酸化二窒素をオフガス流から分離する方法が開示されていて、これは同様に予備精製と低温蒸留から成る。特許出願EP1076217A1には、N2Oから低沸点不純物を低温蒸留により除去する方法が記載されている。
【００１７】
US6505482、US6370911及びUS6387161にも一酸化二窒素の精製方法が開示されていて、その際に、それぞれ特殊なプラント内で低温蒸留が実施されている。
【００１８】
高圧と低温ゆえに低温蒸留は高額な装置を必要とし、これが該方法を用いる一酸化二窒素の精製を浪費し、かつ高価にしてしまう。この場合に、特に標準圧ではN2Oの融点が沸点を３Ｋだけしか下回らないことが妨げとなる。従って、高圧を使用しなくてはならない。
【００１９】
DE2040219には、一酸化二窒素の製法が開示されていて、その際に得られる一酸化二窒素は合成後に濃縮され、かつ精製されている。この場合に、DE2040219によれば、まずアンモニアの酸化により一酸化二窒素が製造されている。製造された一酸化二窒素は、酸化ガスを分離し、かつ高圧下に吸着し、引き続き減圧下に脱着して濃縮することにより精製されている。副成分は、例えば洗浄塔内でアンモニア溶液で処理することにより除去される。DE2040219によれば、ガス混合物を吸着するための溶剤として水が使用されている。
【００２０】
DE2040219に開示されている方法を用いれば種々の酸化窒素を分離することができるが、しかし該方法は大量の溶剤及び／又は高圧の使用を吸着に必要とする。同時に、DE2040219により開示されている方法には、更に妨げとなる成分を分離するために、もう１つの洗浄塔が必要であること開示されている。
【００２１】
WO2006/032502には、一酸化二窒素を含有するガス混合物の精製方法が開示されていて、該方法は、有機溶剤中で少なくともガス混合物を吸着し、引き続きガス混合物を負荷有機溶剤から脱着し、かつガス混合物中の酸化窒素NOxの含有量を、ガス混合物の全体積に対して多くとも０．５体積％に調節することを含む。またWO2006/032502には、複数の吸着及び脱着工程を含んでいてよい方法が開示されている。WO2006/032502には、吸着媒体として有機溶剤だけが開示されている。
【００２２】
DE102005055588.5は、一酸化二窒素を含有するガス混合物G-0の精製方法に関する。該方法は、有機溶剤中でガス混合物G-0を吸着させ、引き続きガス混合物G-1を負荷有機溶剤から脱着し、ガス混合物G-1を水中で吸着させ、かつ引き続きガス混合物G-2を負荷水から脱着することを少なくとも含み、かつこのような方法により得られる精製された一酸化二窒素を含有するガス混合物のオレフィン用酸化剤としての使用に関する。
【００２３】
EP06125807.5は、一酸化二窒素を含有するガス混合物の精製方法に関し、その際、吸着と脱着は、特定のpH−値にて水性溶剤混合物中で行われている。
【００２４】
しかし、公知の方法を用いると一酸化二窒素中に残っている僅かな量の酸素を除去するのが難しい。特に微量の酸素は後続の反応で不所望な副生成物を生じ得る。
【００２５】
従って、例えばシクロペンテン又はシクロドデカトリエンの酸化の際に、使用される一酸化二窒素中の酸素１mol当たり、使用されるオレフィンの１〜４molが非生産的に消費されることが観察された。すなわち、一酸化二窒素中の酸素の存在は、副生成物を形成し得る。例えば析出物の形成を生じ、これが反応器の詰まりにつながり得る。
【００２６】
これらの従来技術から出発して、本発明の課題は、一酸化二窒素を含有する流内の酸素の含有量を効率的かつ廉価に減少させることができる方法を提供することにある。このように精製された一酸化二窒素は、特に酸化剤として必要とされる。
【００２７】
本発明によれば前記課題は、少なくとも次の工程：
（I）一酸化二窒素を含有するガス混合物G-Iを少なくとも部分的に凝縮し、一酸化二窒素を含有する液体組成物Z-1を得て、
（II）前記組成物Z-1をガス混合物S-1と接触させ、組成物Z-2とガス混合物S-2を得る
を含む、一酸化二窒素を含有するガス混合物を精製する方法により解決された。
【００２８】
本発明による方法は特に僅かな微量の酸素を、一酸化二窒素を含有するガス混合物から除去できるという利点を有する。
【００２９】
本発明の範囲内で使用されているような"ガス混合物"という用語は、周囲圧力及び周囲温度で気体の状態で存在する２種以上の化合物から成る混合物を意味する。変化した温度及び変化した圧力では、該ガス混合物は他の物質状態、例えば、液体で存在してもよいが、本発明の範囲内ではガス混合物と称することにする。
【００３０】
本発明の範囲内では、ガス混合物又は液化ガス混合物の組成物は、特記されない限り、体積％で表示される。データは、周囲圧力及び周囲温度でのガス混合物の組成物に関する。
【００３１】
原則的に、本発明の範囲内では該混合物の組成物は当業者に公知の方法で決定することができる。本発明の範囲内では、ガス混合物の組成物は有利にはガスクロマトグラフィーにより決定される。しかし、紫外線スペクトロスコピー、IRスペクトロスコピー又はウェットケミカル法により決定してもよい。
【００３２】
本発明の範囲内では、工程（I）の範囲内でガス混合物G-Iの凝縮が実施される。
【００３３】
この場合に、一酸化二窒素を含有する液体組成物Z-1が得られる。工程（I）による少なくとも部分的な凝縮の際に、凝縮されていない部分、すなわちガス混合物G-Kが得られる。
【００３４】
本発明による方法は、更に工程（II）を含み、その際に組成物Z-1とガス混合物S-2を接触させ、組成物Z-2とガス混合物S-2が得られる。
【００３５】
ガス混合物G-Iは、原則に任意の起源から由来していてもよい。従って、これは場合により濃縮されている一酸化二窒素合成の生成物であるか、又は他の方法のオフガス流であることができる。
【００３６】
本発明による方法の工程（I）による凝縮は、原則的に当業者に公知のどの適切な方法によっても行うことができる。この場合に、本発明の方法の範囲内では、ガス混合物G-Iは少なくとも部分的に凝縮される。本発明によれば、ガス混合物G-Iの２０〜９９質量％、有利には５０〜９０質量％、とりわけ有利には６０〜８０質量％が凝縮される。
【００３７】
従って、上記のようにもう１つの実施態様によれば本発明は、工程（I）でガス混合物G-Iの２０〜９９質量％が凝縮される、一酸化二窒素を含有するガス混合物を精製する方法に関する。
【００３８】
本発明の方法の工程（I）による処理により、妨げとなる副成分、特に酸素の割合がガス混合物G-Iに比べて更に減少している液体組成物Z-Iが得られる。
【００３９】
本発明によれば、一酸化二窒素が凝縮されるように条件が選択されるのに対して、ガス混合物G-Iの不所望な成分は全く凝縮されないか、もしくは少量でしか凝縮されない。
【００４０】
同時に、部分的な凝縮の際にガス混合物G-Kが得られ、これは一酸化二窒素の他に、酸素、窒素、二酸化炭素、アルゴン又は一酸化炭素のような更なる成分を含有していてよい。
【００４１】
本発明によれば、ガス混合物G-Kは、例えば一酸化二窒素を７０〜９０体積％、特に７５〜８５体積％、特に有利には７８〜８２体積％含有する。更に本発明によればガス混合物G-Kは、二酸化炭素を４〜１８体積％、特にCO2を６〜１６体積％、特に有利には８〜１２体積％含有する。更に、ガス混合物G-Kは酸素を０．０１〜５体積％、特に０．５〜３体積％、特に有利には１．０〜２．０体積％含有し、かつ例えばアルゴンを０〜１体積％含有し、その際にガス混合物G-Kの成分の合計は１００体積％になる。
【００４２】
有利には、工程（I）によりガス混合物G-Iは初めに圧縮され、引き続き有利には２工程で冷却される。この場合に、ガス混合物G-Iは１〜３５バール、有利には２〜３０バール、更に有利には３〜２７バールの圧力まで圧縮される。冷却は、２工程で行うのが有利であり、その際、第一の工程では１〜２５℃、有利には８〜１２℃まで冷却され、かつ水又は有機溶剤のように容易に凝縮可能なフラクションが分離され、かつ引き続き第二の工程では、有利には０〜−７０℃、特に有利には−１〜−３０℃、特に−１〜−３０℃、特に−２〜−２５℃に冷却される。
【００４３】
有利には、液体組成物Z-1は一酸化炭素の他に二酸化炭素を含有する。CO2は不活性化する作用を有し、かつ加工の際、特に貯蔵の際に安全上懸念のない運転を保証し、かつ液体組成物Z-1の更なる使用を保証する。N2O含有組成物中にCO2が不活性ガスとして存在する場合には、一酸化二窒素の自己分解を阻止するために、他の不活性ガスと比べて著しく僅かな量だけの不活性ガス、すなわち二酸化炭素が必要であることが見出された。従って、液体組成物Z-1を不活性化するために少量のCO2だけで十分である。
【００４４】
本発明によれば、一酸化二窒素を含有するガス混合物を精製する方法は、工程（I）と（II）の他に、更なる工程を含むことができる。従って、該方法は工程（I）の後と工程（II）の前に更なる工程を含むこともできる。
【００４５】
例えば、本発明による方法の範囲内では、組成物Z-1を更に処理することができる。この場合に、本発明の範囲内では組成物Z-1を濃縮する更なる工程を行うことができる。その際に原則的に組成物Z-1を濃縮するため、又は例えば溶剤の残分のような不純物を除去するための当業者に公知の適切な全ての方法が可能である。
【００４６】
本発明によれば、該方法は組成物Z-1から不純物を除去するもう１つの工程（II）を含む。この場合に、工程（II）により一酸化二窒素を含有する組成物Z-1を、ガス混合物S-1と接触させて組成物Z-2とガス混合物S-2が得られる。
【００４７】
本発明による方法の工程（II）による処理により、更なる反応で妨げとなり得る更なる不純物、特に酸素を液体組成物Z-1から除去できる。
【００４８】
ガス混合物S-1として、一酸化二窒素又はその混合物よりも低い沸点を有する原則的に全ての物質を使用できる。一酸化二窒素と反応しない気体、例えば、窒素、ヘリウム、ネオン、アルゴン、クリプトン、キセノン、水素、一酸化炭素、メタン及びテトラフルオロメタンを使用することが有利である。特に窒素をガス混合物S-1として使用するのが特に有利である。
【００４９】
従って、更なる実施態様によれば、上記のように本発明はガス混合物S-1が、窒素、ヘリウム、ネオン、アルゴン、クリプトン、キセノン、水素、一酸化炭素、メタン及びテトラフルオロメタンから成るグループから選択される、一酸化二窒素を含有するガス混合物の精製方法に関する。
【００５０】
本発明の範囲内では、工程（II）による処理に関して、気体と液体を互いに接触させるために適切などの装置も使用できる。ここでの例としては、バブルカラム、例えば、並流又は向流で運転されるもの、充填物又はパッキングを用いて又は用いずに運転されるもの、トリクル法又は塔底法で、撹拌タンク、例えばスパーギング撹拌機を用いて運転されるもの又は同様のものが挙げられる。工程（II）による処理は、バッチ法でも連続的にも行うことができる。しかし本発明の範囲内では連続的に実施するのが有利である。
【００５１】
従って、更なる実施態様によれば、上記のように本発明は工程（II）が連続的に実施される一酸化二窒素を含有するガス混合物の精製方法に関する。
【００５２】
本発明の範囲内では、工程（II）は特にバブルカラム内で実施され、その際にバブルカラムを向流で運転するのが更に有利であり、パッキングを備えておくのが特に有利である。
【００５３】
従ってもう１つの実施態様によれば上記のように、本発明は工程（II）がバブルカラム内で実施される一酸化二窒素を含有するガス混合物の精製方法に関する。
【００５４】
もう１つの実施態様によれば上記のように、本発明はバブルカラムを向流で運転し、かつ特に有利にはパッキングが備えてある一酸化二窒素を含有するガス混合物の精製方法に関する。
【００５５】
この方法で向流バブルカラム内では組成物Z-1を上から供給し、かつ組成物Z-2を下から取り出すように行われる。
【００５６】
工程（II）による処理は、有利には−９０℃〜＋３７℃の間の温度で、有利には−８０℃〜０℃の間の温度で実施するのが有利である。工程（II）による処理は、選択された温度において液体組成物Z-1の蒸気圧よりも少なくとも高い圧力で、かつ最大１００バールで行うのが有利である。
【００５７】
使用されるガス混合物S-1の量は、所望の酸素減損を達成するために本発明により十分であるべきであるが、しかし他方では一酸化二窒素の損失を回避するために出来るだけ少なくあるべきである。一般的に、液体組成物Z-1中、酸素１mol当たりガス混合物S-1が５〜１００mol使用される。有利には、液体組成物Z-1中、酸素１mol当たりガス混合物S-1が１５〜３０mol使用される。
【００５８】
この場合に、工程（II）により液体組成物Z-1に対して酸素の含有量が更に減少した液体組成物Z-2が得られる。
【００５９】
本発明によれば組成物Z-2は、例えば一酸化二窒素を７５〜９５体積％、特に８０〜９０体積％、特に有利には８２〜８８体積％含有する。本発明によれば組成物Z-2は、更に例えば二酸化炭素を４〜１８体積％、特にCO2を６〜１６体積％、特に有利には８〜１２体積％含有する。更に、組成物Z-2は例えば酸素を０．０１〜１．０体積％、特に酸素を０．０５〜０．５体積％、特に有利には０．１〜０．４体積％及び例えば窒素を０〜１体積％含有し、その際に前記組成物Z-2の成分の合計は１００体積％になる。
【００６０】
工程（II）では、ガス混合物S-1の他に、更なる成分、例えば酸素を含有していてもよいガス混合物S-2が得られる。
【００６１】
本発明によれば、ガス混合物S-2は例えば一酸化二窒素を７０〜９０体積％、特に７５〜８５体積％、特に有利には７７〜８２体積％含有する。更に本発明によればガス混合物S-2は、例えば二酸化炭素を４〜１８体積％、特にCO2を６〜１６体積％、特に有利には８〜１２体積％含有する。ガス混合物は、例えば窒素を４〜１８体積％、特に窒素を６〜１６体積％、特に有利には８〜１２体積％含有する。更にガス混合物S-2は例えば、酸素を０．０１〜５体積％、特に０．５〜３体積％、特に有利には１．０〜２．０体積％及び例えばアルゴンを０〜１体積％含有し、その際、ガス混合物S-2の成分の合成は１００体積％になる。
【００６２】
原則的に、本発明の範囲内ではガス混合物G-1は任意の起源から由来していてよい。しかし、本発明によればガス混合物G-1は、例えば適切な溶剤中で吸着と脱着を含む方法により予め濃縮された一酸化二窒素を含有するガス混合物であるのが有利である。
【００６３】
もう１つの実施態様によれば、上記のように本発明は、次の工程：
（A）少なくとも次の：
（i）溶剤混合物LM-I中にガス混合物G-0を吸着させ、オフガス流と組成物Z-Aを得て、
（ii）前記組成物Z-Aからガス混合物G-1を脱着し、溶剤混合物LM-I’を得る
工程を有する、一酸化二窒素を含有するガス混合物G-0を処理してガス混合物G-Aを得る、
を含む、一酸化二窒素を含有するガス混合物の精製方法に関する。
【００６４】
本発明による方法の工程（A）の工程（ii）を工程（I）の直前に実施する場合には、ガス混合物G-1の組成物はガス混合物G-Iの組成物に相当する。
【００６５】
工程（A）によれば、一酸化二窒素を含有するガス混合物G-0を処理してガス混合物G-Aが得られ、その際に、工程（A）は少なくとも工程（i）と（ii）を含む。工程（i）によれば、溶剤混合物LM-I中にガス混合物G-0を吸着させ、オフガスと組成物Z-Aが得られる。工程（ii）によれば、ガス混合物G-1は組成物Z-Aから脱着され、溶剤混合物LM-I’が得られる。
【００６６】
本発明の範囲内ではガス混合物は、本発明による方法で使用される一酸化二窒素を含有するガス混合物である。この場合に、ガス混合物G-0は一酸化二窒素の他に更なる成分を含有することができる。
【００６７】
本発明によれば、使用される一酸化二窒素を含有するガス混合物は、任意の起源から由来することができる。
【００６８】
ガス混合物G-0が使用される場合には、本発明による精製が可能であることが保証される限り一酸化二窒素のこの含有量は実質的に任意でよい。
【００６９】
該方法に関してガス混合物G-0として使用されるN2O−含有ガス混合物は、通常は２〜８０体積％のN2O−含有量を有する。更に例えば、２〜２１体積％のO2と３０体積％までのNOxを不所望な成分として含有する。更に変化する量のN2、H2、CO2、CO、H2O、NH3を含有し、微量の有機化合物を含有していてもよい。例えば、ガス混合物G-0は９〜１３体積％のN2及び５．５体積％までのNH3を含有することができる。この場合に、ガス混合物G-0の成分の合計は１００体積％になる。
【００７０】
本発明による方法の有利な実施態様によれば、少なくとも３体積％の一酸化二窒素を含有するガス混合物G-0を使用し、更に４〜６０体積％の範囲内、更に有利には５〜２５体積％の範囲内、特に有利には８〜１４体積％の範囲内の一酸化二窒素含有量を有する混合物を使用するのが有利である。
【００７１】
この実施態様によれば、ガス混合物G-0は８〜１８体積％、特に有利には例えば９体積％、１０体積％、１１体積％、１２体積％、１３体積％、１４体積％、１５体積％、１６体積％又は１７体積％のN2O含有量を有するのが有利である。
【００７２】
ガス混合物G-0は、例えば、０．１〜７．５体積％、有利には０．５〜５体積％、特に有利には１〜２．５体積％のCO2含有量を有する。同時に、ガス混合物G-0は例えば１〜１０体積％、有利には２〜７．５体積％、特に有利には例えば３．０〜６体積％のO2含有量を有する。更に、ガス混合物G-0は、５０〜９５体積％のN2を含有することができ、有利には６０〜９０体積％、特に有利には７０〜８５体積％のN2ならびに更なる成分、例えば酸化窒素又は溶剤残液を含有することができる。この場合に、NOxを０〜０．２体積％の量で、有利には０．０００１〜０．１５体積％、特に有利には０．０００５〜０．１体積％の量で含有することができる。この場合に、ガス混合物G-0の成分の合計は１００体積％になる。
【００７３】
本発明の有利な実施態様によれば、一酸化二窒素を含有するガス混合物G-0は、化学方法のオフガスを含有している少なくとも１つの一酸化二窒素である。本発明の範囲内では、単一のプラントの少なくとも２つの一酸化二窒素を含有するオフガスが一酸化二窒素を含有するガス混合物として使用される実施態様を含む。同様に、単一のプラントの少なくとも１つの一酸化二窒素を含有するオフガスと、少なくとももう１つの更なるプラントの少なくとももう１つの一酸化二窒素を含有するオフガスが一酸化二窒素を含有するオフガス混合物として使用される実施態様も含まれる。
【００７４】
従って、上記のように本発明は一酸化二窒素を含有するガス混合物が、少なくとも１つの工業的方法の一酸化二窒素を含有する少なくとも１つのオフガスである方法にも関する。
【００７５】
"一酸化二窒素を含有するガス混合物"という用語は、本発明の範囲内では、記載したオフガスを変性していない形で本発明による精製方法に課す実施態様ならびに記載したオフガスのうち少なくとも１つを変性に課す実施態様の両方を意味する。
【００７６】
本発明の範囲内で使用されているような"変性"という用語は、それによりガス混合物の化学組成物が変化する適切な方法を意味する。従って、"変性"という用語には特に一酸化二窒素を含有するオフガスが少なくとも１つの適切な方法により一酸化二窒素の含有量に関して濃縮されている実施態様が含まれる。オフガスに変性を加えないのが有利である。
【００７７】
更なる実施態様によれば、純粋な一酸化二窒素をオフガスに添加することによりオフガスの化学組成物を変化させてもよい。
【００７８】
使用されるN2O含有ガス混合物G-0は、例えば工業的方法からのオフガスであることができる。有利には、これは硝酸でアルコール、アルデヒド又はケトンを酸化するプラントのオフガスから由来する、例えば、アジピン酸プラント、ドデカンジカルボン酸プラント又はグリオキサールのプラントから由来する、また上記オフガス流を反応体として使用する硝酸プラントのオフガスから、NH3を部分酸化するためのプラントのオフガスから、又はそこで製造されたガス混合物を使用するプラントのオフガスから、例えば、ヒドロキシルアミンプラントから由来する。
【００７９】
本発明によれば、種々のオフガスの混合物を使用することもできる。
【００８０】
本発明のもう１つの有利な実施態様によれば、少なくとも１つの一酸化二窒素を含有するオフガスは、アジピン酸プラントから、ドデカンジカルボン酸プラントから、グリオキサールプラントから、ヒドロキシルアミンプラントから及び／又は硝酸プラントから由来し、後者は有利にはアジピン酸プラント、ドデカンジカルボン酸プラント又はグリオキサールプラントの少なくとも１つのオフガスで処理される。
【００８１】
有利な実施態様によれば、アジピン酸プラントのオフガス流が使用され、その際、硝酸での酸化によりシクロへキサノール／シクロヘキサン混合物は、形成されたアジピン酸１モルあたり０．８〜１．０molのN2Oが一般に形成される。例えば、A. K. Uriarte et al.（Stud. Surf. Sci. Catal. 130（2000）743〜748頁）には、アジピン酸プラントのオフガスは、様々な濃度で更なる成分、特に、窒素、酸素、二酸化炭素、一酸化炭素、酸化窒素、水及び揮発性有機化合物を含有していることが記載されている。
【００８２】
上記のドデカンジカルボン酸プラントは、実質的に同じプラントタイプである。
【００８３】
アジピン酸プラント又はドデカンジカルボン酸プラントのオフガスの通常の組成物の例は、以下の表に示されている。
【００８４】
【表１】
0005518044.tif 000002
【００８５】
アジピン酸プラント又はドデカンジカルボン酸プラントのオフガス流は本発明による方法で直接に使用できる。
【００８６】
同様に、有利な実施態様によれば、他の方法からの一酸化二窒素及び酸化窒素を含有するオフガスと一緒に全て又は部分的に供給される硝酸プラントのオフガス流が使用される。このような硝酸プラントでは、酸化窒素が吸着され、かつ大部分が硝酸と反応するのに対して、一酸化二窒素は反応しない。例えば、このような硝酸プラントは、目的を定めたアンモニアの燃焼により製造される酸化窒素により、かつアジピン酸プラントのオフガスにより及び／又はドデカンジカルボン酸プラントのオフガスにより供給されてもよい。同様に、このような硝酸プラントは、アジピン酸プラントのオフガス及び／又はドデカンジカルボン酸プラントのオフガスだけにより供給することもできる。
【００８７】
このような硝酸プラントのオフガスは、原則的に種々の濃度の更なる成分、特に窒素、酸素、二酸化炭素、一酸化炭素、酸化窒素、水及び揮発性有機化合物を含有する。
【００８８】
このような硝酸プラントのオフガスの一般的な組成物の一例は、以下の表に示されている。
【００８９】
【表２】
0005518044.tif 000003
【００９０】
硝酸プラントのオフガス流は本発明による方法で直接に使用できる。
【００９１】
同様に、本発明による方法の有利な実施態様によれば、例えばまずアンモニアが空気又は酸素で酸化されてNOになるヒドロキシルアミンプラントのオフガス流が使用され、その際に、少量の一酸化二窒素が副生成物として形成される。引き続きNOは水素で水素化されヒドロキシルアミンになる。一酸化二窒素が水素化条件下に不活性であるので、水素循環においてこれは蓄積される。有利な方法では、ヒドロキシルアミンプラントの洗浄流は水素中に９〜１３体積％の範囲内の一酸化二窒素を有する。この洗浄流はそのまま本発明による精製に使用することができる。同様に、上記のようにこの流を一酸化二窒素の含有量に関して適切に濃縮することもできる。
【００９２】
従って、本発明は上記のようにガス混合物G-0が、アジピン酸プラント及び／又はドデカンジカルボン酸プラント及び／又はグリオキサールプラント及び／又はヒドロキシルアミンプラントのオフガスである方法及び／又はアジピン酸プラント及び／又はドデカンジカルボン酸プラント及び／又はグリオキサールプラントのオフガスで運転される硝酸プラントである方法にも関する。
【００９３】
同様に、本発明による方法の範囲内では一酸化二窒素を該方法において目的をしぼって製造することができる。この場合に、US3656899に記載されているように特にNH4NO3の熱分解により製造するのが有利である。同様に、更にUS5849257又はWO98/25698に記載されているようにアンモニアの接触酸化により製造するのが有利である。
【００９４】
工程（i）による吸着の際に、ガス混合物G-0は溶剤混合物LM-Iに吸着される。この場合に本発明の範囲内では、原則として当業者に公知のどの吸着法も使用できる。その際にオフガス流と組成物Z-Aが得られる。次に組成物Z-Aは、工程（ii）で更に処理される。この場合に、ガス混合物G-1は組成物Z-Aから脱着されて溶剤混合物LM-I’が得られる。
【００９５】
この場合にガス混合物G-1は本発明による少なくとも一酸化二窒素を含有し、かつ更なる成分を含有していてもよい。
【００９６】
本発明によれば、ガス混合物G-0、特に一酸化二窒素が少なくとも部分的に吸着されることが保証される限りは、溶剤混合物LM-Iとして当業者に公知のどの適切な溶剤混合物を使用してもよい。
【００９７】
工程（A）により、一酸化二窒素を含有するガス混合物G-Aが得られる。ガス混合物G-Aは更なる成分を含有していてもよい。工程（A）が工程（ii）の後に更なる工程を含まない限り、ガス混合物G-1の組成物は、ガス混合物G-Iの組成物と同一である。
【００９８】
工程（I）により、工程（A）から得られるガス混合物G-Iは少なくとも部分的に凝縮されて、一酸化二窒素を含有する液体組成物Z-1及びガス混合物G-Kが得られる。この場合に、本発明の範囲内では液体組成物Z-Aは一酸化二窒素と、更なる成分を含有していてもよい。
【００９９】
本発明によれば、ガス混合物G-Kは、一酸化二窒素を７０〜９０体積％、特に７５〜８５体積％、特に有利には７８〜８２体積％含有する。本発明によればガス混合物G-Kは更に二酸化炭素を４〜１８体積％、特にCO2を６〜１６体積％、特に８〜１２体積％含有する。更に、ガス混合物G-Kは酸素を０．０１〜５体積％、特に０．５〜３体積％、特に有利には１．０〜２．０体積％含有し、かつアルゴンを例えば０〜１体積含有し、その際にガス混合物G-Kの成分の合計は１００体積％になる。
【０１００】
本発明によれば、該方法は更なる工程を含んでいてよい。従って、例えば本発明の範囲内では工程（A）と工程（I）の間に更なる工程を含むことができる。
【０１０１】
本発明によれば、工程（A）は更なる工程を含むことができる。この場合に、例えば工程（A）はガス混合物G-1を適切な溶剤混合物中に更に吸着させ、かつ更に脱着することからなる。
【０１０２】
更なる実施態様によれば、上記のように本発明は一酸化二窒素を含有するガス混合物を精製する方法に関し、その際に、工程（A）は更に工程（iii）と（iv）：
（iii）溶剤混合物LM-II中にガス混合物G-1を吸着させ、オフガス流と組成物Z-Bを得て、
（iv）前記組成物Z-Bからガス混合物G-2を脱着し、溶剤混合物LM-II’を得る
を含む。
【０１０３】
本発明によれば、ガス混合物G-I、特に一酸化二窒素が少なくとも部分的に吸着されることが保証される限りは、溶剤混合物LM-IIとして当業者に公知のどの適切な溶剤混合物も使用できる。
【０１０４】
工程（A）が工程（iv）の後に更なる工程を含まない場合には、ガス混合物G-2の組成物はガス混合物G-Iの組成物と同一である。
【０１０５】
本発明の範囲内では、工程（A）は工程（i）と（ii）の他に、又は工程（i）、（ii）、（iii）及び（iv）の他に、更なる工程すなわち更なる吸着と脱着を有することができる。
【０１０６】
従って、本発明の範囲内では、該方法が複数の工程（i）と（ii）又は複数の工程（iii）と（iv）を含むことができる。
【０１０７】
もう１つの実施態様では、上記にように本発明は工程（A）が更なる工程を含んでいる、一酸化二窒素を含有するガス混合物を精製する方法に関する。
【０１０８】
本発明による方法は、有利な１実施態様によれば工程（A）が少なくとも工程（i）と（ii）を含み、かつもう１つの実施態様によれば工程（iii）と（iv）も含む。その際に、溶剤混合物LM-IとLM-IIが使用される。
【０１０９】
本発明によれば、特に一酸化二窒素が吸着される限りは、溶剤混合物LM-I及び／又はLM-IIとして当業者に公知の適切などの溶剤混合物も使用できる。
【０１１０】
工程（A）の工程（i）又は（iii）による吸着に適切な溶剤混合物LM-I及びLM-IIは、N2O及び有利には不活性な成分としてのCO2に対して、混入される反応ガスG-0の不所望な成分よりも優れた溶解度を有するものである。
【０１１１】
本発明によれば、溶剤混合物LM-I及び／又はLM-IIとして有機溶剤又は水性溶剤混合物を使用できる。更なる実施態様では、上記のように本発明は溶剤混合物LM-Iもしくは溶剤混合物LM-II又は溶剤混合物LM-I及び溶剤混合物LM-IIが、有機溶剤と水性溶剤混合物から成るグループから選択される一酸化二窒素を含有するガス混合物を精製する方法に関する。
【０１１２】
本発明によれば、吸着器内で優勢な条件下にN2Oの溶解度（mol/mol溶剤）と不所望な副成分の溶解度との比（この比を以後γと称する）が少なくとも５である溶剤が有機溶剤として使用される。この比は、個々にガス混合物中に含有される成分に関して決定できる。有機溶剤は、例えば３０℃で６〜３０、有利には９〜２５のγO2の値と、１０以上、有利には１５以上、特に２０以上のγN2の値を有するのが有利である。
【０１１３】
適切な有機溶剤の例は、例えば脂肪族炭化水素、有利には少なくとも５個の炭素原子を有する脂肪族炭化水素であり、更に有利には少なくとも８個の炭素原子を有するもの、置換又は非置換の芳香族炭化水素、エステル、エーテル、アミド、ラクトン、ラクテーム、ニトリル、アルキルハロゲン化物、オレフィン又はこれらの溶剤の混合物である。
【０１１４】
本発明によれば、常圧で少なくとも１００℃の沸点を有する有機溶剤が極めて有利である。それというのも、これにより吸着器ならびに脱着器のオフガス流内で溶剤損失が減少するからである。
【０１１５】
同時に、本発明による適切な溶剤は一酸化二窒素に対して優れた溶解度を有する。溶解度は、気相中のN2Oの分圧と液相中のN2Oのモル比との間の比により表記される（ヘンリー係数ＨN2O）。すなわち、値が小さいほど溶剤中で一酸化二窒素の溶解度が高いことを示す。第一の工程で使用される有機溶剤のこの比は、３０℃では１０００未満、より有利には７５０未満、特に有利には５００未満、特に１５０未満であるのが有利である。
【０１１６】
適切な有機溶剤は、特にN−メチルピロリドン、ジメチルホルムアミド、ジメチルスルホキシド、プロピレンカーボネート、スルホネート、N,N−ジメチルアセタミド又はシクロペンタンである。本発明の範囲内では、例えば、トルエン、ニトロベンゼン、１，２−ジクロロベンゼン、テトラデカン、例えば主に１４個の炭素原子を有する飽和炭化水素とフタル酸ジメチルエステルから成る工業混合物が特に有利である。
【０１１７】
有利な実施態様では、上記のように本発明は、有機溶剤がトルエン、ニトロベンゼン、１，２−ジクロロベンゼン、テトラデカン及びフタル酸ジメチルエステルから成るグループから選択される一酸化二窒素を含有するガス混合物を精製する方法に関する。
【０１１８】
本発明によれば、同様に溶剤混合物LM-I及び／又はLM-IIとして水性溶剤混合物を使用できる。その際、本発明による方法の水性溶剤混合物の適性に関しては原則として上記の説明が該当する。特に溶剤混合物LM-I及び／又はLM-IIとして全体の溶剤混合物に対して、少なくとも水５０質量％を含有する溶剤混合物を使用できる。この場合に、本発明の範囲内では使用される溶剤混合物のpH値を特定の範囲内に調節することもできる。水性溶剤混合物の適切なpH値は例えば２．０〜８．０の範囲内である。この場合に、本発明によれば個々の吸着工程で使用される溶剤混合物LM-I及び／又はLM-IIのpH値を変化させることもできる。
【０１１９】
本発明の範囲内では、予め公知のpH値を有するバッファーに対してキャリブレートしておいた市販のガラス電極でpH値を測定した。全てのpH値のデータは、キャリブレートし、かつ温度補正したガラス電極の測定値に基づく。キャリブレートした温度が測定温度と相違する場合には、温度補正を使用した。この定義と方法は、現在有効であるIUPACの示唆（R. P. Buck et al., Pure Appl. Chem. (2002) 74(11), 2169-2200頁の特に11章）に相応する。
【０１２０】
水は、所望の成分、特に一酸化二窒素及び二酸化炭素に対して高い選択率を有する。同時に、水中での一酸化二窒素の絶対的溶解度は、更なる濃縮を達成するために十分である。この場合に、溶剤としての水は、圧力下に濃縮された一酸化二窒素が存在しても安全上の問題が生じない利点がある。同時に、有機溶剤での脱着から得られるガス混合物には、更なる精製工程が必要となり得る汚染は何も生じない。
【０１２１】
本発明によれば、溶剤混合物KM-IもLM-IIも有機溶剤混合物又は水性溶剤混合物であってよい。本発明によれば、溶剤混合物LM-Iとして有機溶剤を使用することができ、かつ溶剤混合物LM-IIとして水性溶剤混合物を使用することができる。同様に、溶剤混合物LM-Iとして水性溶剤混合物を使用し、かつ溶剤混合物LM-IIとして有機溶剤を使用することもできる。本発明の範囲内では、有機溶剤混合物LM-Iも溶剤混合物LM-IIも水性溶剤混合物であるのが有利である。
【０１２２】
更に、溶剤混合物ML-I及び／又はLM-IIとして水性溶剤混合物が使用される限りは、水性溶剤混合物のpH値は特定の範囲内で調節される。
【０１２３】
溶剤混合物LM-Iと溶剤混合物LM-IIの本発明によるpH値の選択により、殆ど完全にNOxの減損が達成される。これにより、例えばDeNOx又はSCR-DeNOxによるNOxの別々の分離は不必要である。それにより本発明による方法の場合には、DeNOx−工程に還元剤として使用されるNH3で生成物流が汚染される危険性が生じない。
【０１２４】
溶剤混合物LM-Iと溶剤混合物LM-IIのpH値を目的を定めて選択することにより、特に二酸化炭素の含有量を最小限に変更するだけでNOxの優れた減損を達成できる。
【０１２５】
本発明により使用される溶剤混合物LM-IとLM-IIは、本発明による有利なpH−値において所望の成分、特に一酸化二窒素及び二酸化炭素に対して高い選択率を有する。同時に、本発明により使用される溶剤混合物LM-IもしくはLM-II中での一酸化二窒素の絶対的溶解度は、濃縮を達成するために十分である。この場合に、本発明により使用される溶剤混合物LM-IもしくはLM-IIは、圧力下に濃縮された一酸化二窒素が存在する場合でも安全上の問題を生じないという利点がある。
【０１２６】
本発明によれば、吸着の際の水性溶剤混合物のpH値は、有利には３．５〜８．０の範囲内である。このpH値では本発明により、溶剤混合物中での一酸化二窒素と二酸化炭素の良好な吸着が行われる。その際、ガス混合物G-0中に含有され得る他のガスは、全く吸着されないか、又は僅かにしか吸着されない。pH値は５．０〜７．５の範囲、特に有利には６．０〜７．０の範囲内であるのが有利である。
【０１２７】
本発明によれば、この場合にガス混合物を水性溶剤混合物と接触させる前と間にpH値が測定され、かつ次に例えば、pH値は適切な措置により調節される。同様に、本発明によればpH値を調節するための措置が必要ではない。
【０１２８】
原則的に、本発明によればpH値は当業者に公知の全ての措置により調節できる。pH値を調節するための適切な措置は、例えば、酸もしくはアルカリ液の添加又は更なる溶剤の添加である。
【０１２９】
例えば、水性溶剤混合物のpH値は吸着の前又は後に測定でき、かつ本発明による範囲内のpH値は適切な措置により調節される。この場合に、pH値の測定は本発明により連続的に又は不連続的に行うことができる。
【０１３０】
溶剤混合物LM-Iもしくは溶剤混合物LM-IIのpH値が調節される限りは、溶剤混合物LM-Iと溶剤混合物LM-IIのpH値は互いに独立に調節できる。本発明によれば、溶剤混合物LM-Iもしくは溶剤混合物LM-IIのpH値だけを調節することもできる。しかし、溶剤混合物LM-Iと溶剤混合物LM-IIのpH値を同じ範囲に調節することもできる。
【０１３１】
本発明の範囲内では、水性溶剤混合物とは、それぞれ全体の水性溶剤混合物に対して、水を少なくとも５０質量％、例えば、水を５０〜１００質量％、有利には水を少なくとも６０質量％、特に水を少なくとも７０質量％、特に有利には水を少なくとも８０質量％、例えば水を少なくとも９０質量％含有する溶剤混合物であると解釈される。水性溶剤混合物は、それぞれ全体の水性溶剤混合物に対して少なくとも９０質量％の水を含有するのが有利である。
【０１３２】
従って、上記のように本発明は、溶剤混合物LM-Iもしくは溶剤混合物LM-II又は溶剤混合物LM-I及び溶剤混合物LM-IIが、それぞれ全体の溶剤混合物に対して水を少なくとも９０質量％含有する一酸化二窒素を含有するガス混合物を精製する方法に関する。
【０１３３】
本発明によれば、水性溶剤混合物は水の他に水と混合可能な他の極性溶剤、例えばグリコールを含有できる。更に、水性溶剤混合物は水の他に溶解塩、例えばアルカリ金属もしくはアルカリ土類金属の塩、特に水酸化物、炭酸水素塩、炭酸塩、硝酸塩、亜硝酸塩、硫酸塩、リン酸水素塩又はリン酸塩を含有できる。
【０１３４】
本発明によれば、水性溶剤混合物中の塩の含有量は、５質量％未満、有利には２．５質量％未満、特に有利には２．０質量％未満である。水性溶剤混合物中の塩の含有量は、例えば、０．０００１〜５質量％、有利には０．００１〜２．５質量％、特に０．０１〜２．０質量％である。
【０１３５】
本発明によれば、水性溶剤混合物中の塩の含有量は、塩で負荷した溶剤混合物の一部を相応して合わせた量の新たな溶剤混合物と交換して連続的又は不連続的にコントロールされる。
【０１３６】
本発明によれば、水性溶剤混合物のpH値は当業者に公知のどの方法によっても調節できる。特に、水性溶剤混合物に塩基を添加することによりpH値を調節できる。
【０１３７】
原則的に、そのpH値が＞８．０である（水中で１質量％濃度の溶液として）考えられる限りの化合物を塩基として使用できる。本発明により無機強塩基、特にアルカリ金属又はアルカリ土類金属の水酸化物、炭酸塩、炭酸水素塩又はリン酸塩を使用するのが有利である。特にNaOH、KOH、Na2CO3、NaHCO3、Na3PO4、K3PO4を使用するのが有利である。更に、濃縮された水溶液の形で塩基を使用するのが有利である。
【０１３８】
適切な濃度の範囲は、本発明の範囲内では例えば１０〜６０％の水溶液、有利には２０〜５５％の水溶液、特に有利には２５〜５０％の水溶液、例えば３０％の水溶液、３５％の水溶液、４０％の水溶液、４５％の水溶液又は５０％の水溶液である。
【０１３９】
本発明によれば、NaOH水溶液を塩基として使用するのが特に有利である。
【０１４０】
本発明の有利な実施態様によれば、塩基として２５〜５０％のNaOH水溶液が使用される。
【０１４１】
例えば、水性溶液混合物のpH値は、アルカリ金属水酸化物、アルカリ金属炭酸塩、アルカリ金属炭酸水素塩、アルカリ金属リン酸塩、アルカリ土類金属水酸化物、アルカリ土類金属炭酸塩、アルカリ土類金属炭酸水素塩及びアルカリ土類金属リン酸塩から成るグループから選択される塩基の添加により調節される。
【０１４２】
本発明による工程（i）によれば、溶剤混合物LM-I中でガス混合物G-0の少なくとも部分的な吸着が行われ、その際に、組成物Z-Aと、吸着されたガスが欠乏したオフガス流が得られる。
【０１４３】
本発明の範囲内では、欠乏したオフガス流とは、溶剤混合物LM-I又はLM-II中での吸着の際に吸着されなかったガスを含有するガス流であると解釈される。
【０１４４】
組成物Z-Aには、溶剤混合物LM-Iとその中に吸着されたガスが含まれる。
【０１４５】
溶剤混合物LM-Iとして水を使用する限りは、該組成物Z-Aは水を例えば９０．０〜９９．９９９９質量％、特に水を９５．０〜９９．９９９質量％、有利には水を９８．０〜９９．９９質量％、例えば、一酸化二窒素を０．０１〜０．２５質量％、特に０．０５〜０．２質量％、有利には０．１〜０．１５質量％、例えば二酸化炭素を０．０００１〜０．１質量％、特に二酸化炭素を０．００１〜０．０５質量％、例えば、窒素を０．０００１〜０．１質量％、特に窒素を０．００１〜０．０５質量％、例えば、亜硝酸ナトリウムを０．０５〜１．５質量％、特に亜硝酸ナトリウムを０．１〜１．０質量％、有利には０．２５〜０．７５質量％、例えば、硝酸ナトリウムを０．０５〜１．５質量％、特に硝酸ナトリウムを０．１〜１．０質量％、有利には０．２５〜０．７５質量％；例えば、炭酸水素ナトリウムを０．０００１〜０．１質量％、特に０．００１〜０．０５質量％、ならびに微量の酸素及びアルゴンを含有する。この場合に、組成物Z-Aの成分の合計は１００質量％になる。
【０１４６】
本発明によれば、欠乏したオフガス流はアルゴンを例えば０．１〜２．０体積％、特に０．２５〜１．５体積％、有利には０．５〜１．０体積％、例えば、酸素を１．０〜１０体積％、特に酸素を２．５〜７．５体積％、有利には４．０〜６．０体積％；例えば一酸化二窒素を１．０〜１０体積％、特に一酸化二窒素を２．５〜７．５体積％、有利には４．０〜６．０体積％；例えば窒素を７０〜９９．９体積％、特に窒素を７５〜９５体積％、有利には８０〜９０体積％；例えば一酸化炭素を０．０１〜０．５体積％、特に０．０５〜０．２５体積％、有利には一酸化炭素を０．０８〜０．１体積％；例えば、二酸化炭素を０．１〜１．５体積％、特に０．２５〜１．０体積％、有利には二酸化炭素を０．５〜０．７５体積％；例えば水を０．１〜１．５体積％、特に０．２５〜１．０体積％、有利には水を０．５〜０．７５体積％含有する。この場合に、オフガス流の成分の合計は１００体積％になる。
【０１４７】
本発明による方法の工程（i）は連続的に実施するのが有利である。すなわち、本発明の範囲内では溶剤混合物LM-Iとガス混合物G-0を連続的に接触させる。その際に、組成物Z-Aと欠乏したオフガス流が連続的に形成される。
【０１４８】
本発明によれば、工程（i）による吸着の際に一酸化二窒素と二酸化炭素が吸着される。本発明によれば、例えば窒素、酸素及びアルゴンを吸着できる。工程（i）では酸化窒素NOxも吸着される。
【０１４９】
本発明による方法には、ガス混合物G-1が組成物Z-Aから脱着されて溶剤混合物LM-I’を得る工程（ii）が含まれる。
【０１５０】
この場合に、工程（ii）により一酸化二窒素と二酸化炭素が組成物Z-Aから脱着されるのが有利である。
【０１５１】
溶剤混合物LM-I’は、使用される溶剤混合物LM-Iの他に脱着されていないガス及び副生成物を含有する。
【０１５２】
例えば、本発明による方法で溶剤混合物LM-Iとして、一定に調節されたpH値を有するものを使用し、かつpH値がアルカリ液、特に苛性ソーダ液の添加により調節される場合には、溶剤混合物LM-I’は、本発明により水を例えば９０．０〜９９．９９９９質量％、特に水を９５．０〜９９．９９９質量％、有利には９８．０〜９９．９９質量％；例えば、一酸化二窒素を０．００１〜０．１質量％、例えば亜硝酸ナトリウムを０．０５〜１．５質量％、特に０．１〜１．０質量％、有利には亜硝酸ナトリウムを０．２５〜０．７５質量％、例えば、硝酸ナトリウムを０．０５〜１．５質量％、特に０．１〜１．０質量％、有利には硝酸ナトリウムを０．２５〜０．７５質量％；例えば炭酸水素ナトリウムを０．０００１〜０．１質量％、特に炭酸水素ナトリウムを０．００１〜０．０５質量％含有する。さらに溶剤混合物LM-I’は、更なる化合物を含有することもできる。この場合に、溶剤混合物LM-I’の成分の合計は１００質量％になる。
【０１５３】
本発明の範囲内では、ガス混合物G-1は例えば、４０〜８０体積％、有利には４５〜７５体積％、特に５０〜６５体積％、特に有利には例えば５１体積％、５２体積％、５３体積％、５４体積％、５５体積％、５６体積％、５７体積％、５８体積％、５９体積％、６０体積％、６１体積％、６２体積％、６３体積％、６４体積％又は６５体積％のN2O含有量を有する。
【０１５４】
ガス混合物G-1は、例えば、５〜１５体積％、有利には６〜１２体積％、特に有利には例えば７体積％、９体積％、１０体積％又は１１体積％のCO2含有量を有する。同時に、ガス混合物G-1は、例えば１．０〜４．０体積％、有利には１．５〜３．５体積％、特に有利には２．５〜３．１体積％、例えば、２，６体積％、２．７体積％、２．８体積％、２．９体積％又は３．０体積％のO2含有量を有する。更に、ガス混合物G-1は更に２０〜４０体積％、有利には２０〜３５体積％のN2ならびに更なる成分、例えば酸化窒素を含有することができる。この場合にNOxは、例えば０〜０．１体積％、有利には０．０００１〜０．０１体積％、特に有利には０．０００２〜０．０５体積％の量で含有していてよい。この場合に、ガス混合物G-1の成分の合計は１００体積％になる。更にガス混合物G-1は、水を０〜１０体積％、特に水を２〜８体積％、有利には４〜６体積％含有していてもよい。
【０１５５】
本発明によれば、工程（A）は、工程（iii）と（iv）による特に適切な溶剤中での更なる吸着及び脱着を含んでいてもよい。工程（iii）と（iv）により、適切な溶剤混合物LM-II中でのガス混合物G-1の吸着及びそれに引き続くガス混合物G-2の脱着が行われる。
【０１５６】
工程（iii）による吸着の際には、本発明により溶剤混合物LM-II中での吸着が行われ、その際に組成物Z-Bと吸着ガスが欠乏したオフガス流が得られる。
【０１５７】
組成物Z-Bには、溶剤混合物LM-II及びこの中に吸着されたガスが含まれる。
【０１５８】
溶剤混合物LM-IIとして水を使用する限りは、該組成物Z-Bは、水を例えば９０．０〜９９．９９９９質量％、特に９５．０〜９９．９９９質量％、有利には９８．０〜９９．９９質量％；例えば、一酸化二窒素を０．０１〜２．５質量％、特に一酸化二窒素を０．１〜１．５質量％、有利には０．５〜１．０質量％；例えばCO2を０．００１〜０．５質量％、特に二酸化炭素を０．０１〜０．２５質量％、例えば窒素を０．０００１〜０．１質量％、特に窒素を０．００１〜０．０５質量％ならびに微量の酸素とアルゴンを含有する。この場合に、組成物Z-Bの成分の合計は１００体積％になる。
【０１５９】
本発明による方法の工程（iii）は連続的に行うのが有利である。すなわち本発明の範囲内では、溶剤混合物LM-IIとガス混合物G-1を連続的に接触させることを意味する。その際に組成物Z-Bと欠乏したオフガス流が連続的に形成される。
【０１６０】
本発明による方法の工程（i）と（iii）は連続的に行うのが有利である。
【０１６１】
本発明によれば、工程（iii）による吸着の際に、有利には一酸化二窒素と二酸化炭素が吸着される。また、ガス混合物G-1中に残る酸化窒素NOxは有利には工程（iii）で吸着される。
【０１６２】
挿入したガス流のうち本発明の工程（iii）では有利には６０〜８０％が吸着される。
【０１６３】
本発明による方法は、有利な実施態様により工程（iv）を更に含み、その際にガス混合物G-2は組成物Z-Bから脱着されて溶剤混合物LM-II’が得られる。
【０１６４】
この場合に工程（iv）により一酸化二窒素と二酸化炭素が組成物Z-Bから脱着される。
【０１６５】
溶剤混合物LM-II’は、使用される溶剤混合物L-IIの他に、まだ脱着されていないガスと副生成物を含有する。
【０１６６】
得られるガス混合物G-2は、N2Oを少なくとも５０体積％、特に有利にはN2Oを少なくとも６０体積％、かつ最も有利にはN2Oを少なくとも７５体積％有する。通常、ガス混合物G-2はN2Oを９９体積％まで、特にN2Oを９７体積％まで、例えばN2Oを９６体積％まで、N2Oを９５体積％まで、N2Oを９４体積％まで、N2Oを９３体積％まで、N2Oを９２体積％まで、N2Oを９１体積％まで、N2Oを９０体積％まで、又はN2Oを８５体積％まで含有する。
【０１６７】
本発明の範囲内ではガス混合物G-2は、例えば６０〜９５体積％、有利には７０〜９０体積％、特に７５〜８５体積％、より有利には例えば７６体積％、７７体積％、７８体積％、７９体積％、８０体積％、８１体積％、８２体積％、８３体積％、８４体積％又は８５体積％のN2O含有量を有する。
【０１６８】
ガス混合物G-2は、例えば、１〜２０体積％、有利には５〜１５体積％、特に有利には例えば６体積％、７体積％、８体積％、９体積％、１０体積％、１１体積％、１２体積％、１３体積％又は１４体積％のCO2含有量を有する。同時に、ガス混合物G-2は例えば０．０１〜５．０体積％、有利には０．１〜２．５体積％、特に有利には例えば０．２〜１．０体積％のO2含有量を有する。更に、ガス混合物G-2は、０．１〜１０体積％のN2を含有することができ、有利には０．５〜５体積％及び更なる成分、例えば酸化窒素もしくは溶剤残分を有することができる。同時に、ガス混合物G-2はO2を１体積％未満、特にO2を０．５体積％未満、NOxを０．５体積％未満含有する。この場合に、NOxは０〜０．１体積％の量で、有利には０．０００１〜０．０１体積％、特に有利には０．０００２〜０．０２体積％の量で含有することができる。この場合に、ガス混合物G-2の成分の合計は１００体積％になる。
【０１６９】
工程（A）が工程（iv）の後に更なる工程を有さない場合には、ガス混合物G-Iの組成物はガス混合物G-2の組成物に相当する。
【０１７０】
本発明による方法の工程（A）の工程（i）もしくは（iii）の吸着は、原則的に当業者に公知の全ての方法により実施できる。特に、溶剤混合物中での吸着は反応体ガスの圧力を上げることにより、又は溶剤混合物の温度を下げることにより、又は両方の方法を組合わせることにより実施できる。
【０１７１】
本発明による方法の工程（i）又は（iii）では、まずガス混合物を１０〜３５バール、有利には１３〜３０バール、有利には１４〜２５バールまで圧縮する。引き続き、圧縮したガス混合物を有利にはこの圧力で、工程（i）による溶剤混合物LM-I又は工程（iii）による溶剤混合物LM-II中で接触させる。
【０１７２】
従って、上記のように本発明は、工程（i）もしくは（iii）又は（i）及び（iii）による吸着における圧力が１０〜３５バールの範囲内である一酸化二窒素を含有するガス混合物G-0を精製する方法に関する。
【０１７３】
本発明によれば、工程（i）と工程（iii）による吸着は装置（吸着器）内で実施され、その中で気−液相の界面が生じ、それを介して相の間の物質と熱の移動が可能になり、かつ必要な場合に熱供給及び／又は熱の除去するための内部又は外部装置が備えられる。
【０１７４】
吸着器内の相の伝導は並流、向流又はこれらの組合せの形で行うことができる。
【０１７５】
本発明によれば、吸着は１つ以上の段階で、有利には１つの段階で実施できる。この場合に、吸着の際に吸着器として複数の理論段、特に２〜８個、より有利には３〜６個の理論段を有する装置を使用するのが有利である。
【０１７６】
吸着器の可能な実施態様は、トレー、例えばバブルキャップトレー又は多孔板トレーを有するカラム、構造化された部材、例えばパッキングを有するカラム、構造化されていない部材、例えば充填物を有するカラム、又は例えばノズル中の噴霧により液相が分散した形で存在する装置、又はこれらの組合せである。
【０１７７】
本発明による方法の工程（ii）又は（iv）による組成物Z-A又は組成物Z-Bからのガス混合物G-1又はG-2の脱着は、溶剤混合物上の圧力を下げることにより、溶剤混合物の温度を上げることにより、又は溶剤蒸気でストリッピングすることにより又はこれらの組合せにより実施できる。
【０１７８】
組成物Z-A又は組成物Z-Bからのガス混合物G-1又はG-2を脱着するための装置（脱着器）ならびに相の伝導に関する必要条件は、吸着器におけるものと同じである。すなわち、気−液相の界面が形成され、それを介して相の間の物質と熱の移動が可能になる装置が適切であり、かつ必要な場合に熱供給及び／又は熱を除去するための内部又は外部装置が備えられる。
【０１７９】
本発明によれば、脱着は１つ以上の段階で実施できる。
【０１８０】
脱着器の可能な実施態様は、簡単な（フラッシュ）容器及びカラムである。
【０１８１】
吸着、すなわち溶剤混合物との接触と脱着が装置により組合わされる本発明の有利な実施態様は、例えば分割壁カラムである。その場合に、接触及びこれに関連する吸着と脱着は複数の段階で、温度を変化させることにより向流の形で運転され、溶剤蒸気でのストリッピングと組合わされる。（i）と（ii）及び（iii）と（iv）の両方において、装置による吸着と脱着の組合せは、特に分割壁カラム内で行うことができる。
【０１８２】
従って有利な実施態様では、上記のように本発明は、分割壁カラム内で工程（i）と（ii）もしくは工程（iii）と（iv）、又は工程（i）と（ii）及び工程（iii）と（iv）が行われる上記のような方法に関する。
【０１８３】
本発明の特に有利な実施態様の意味では、工程（i）により、高圧ｐAbso下に向流で運転する充填物床を備えた吸着カラム内で、まずN2Oを含有するガス混合物G-0を溶剤混合物LM-Iと接触させ、その際に吸着が行われ、かつ組成物Z-Aが得られる。この実施態様では工程（ii）により組成物Z-Aは、組成物Z-Aがより低い圧力ｐDeso＜ｐAbsoに減圧される容器に移される。この方法は、最大２０Ｋ、有利には最大１５Ｋ、特に最大１０Ｋの吸着温度と脱着温度の温度差で有利には殆ど等温的に実施される。この場合に、吸着圧は１〜１００バール、有利には５〜６５バール、特に１０〜４０バール、有利には１０〜３５バール、より有利には１３〜３０バール、更に有利には約１４〜２５バールであり、かつ脱着圧は０．１〜２バール絶対圧、有利には０．５〜１．５バール絶対圧、更に有利には１．０〜１．２バール絶対圧である。
【０１８４】
有利には、工程（iii）により高圧ｐAbso下に向流で運転する充填物床を備えた吸着カラム内で、まずガス混合物G-１を溶剤混合物LM-IIと接触させ、その際に組成物Z-Bが得られる。工程（iv）により、組成物Z-Bは、組成物Z-Bがより低い圧力ｐDeso＜ｐAbsoに減圧される容器に移される。この方法は、同様に最大２０Ｋ、有利には最大１５Ｋ、特に最大１０Ｋの吸着温度と脱着温度の温度差で有利には殆ど等温的に実施される。この場合に、吸着圧は１〜１００バール、有利には５〜６５バール、特に１０〜４０バール、有利には１０〜３５バール、より有利には１３〜３０バール、更に有利には約１４〜２５バールであり、かつ脱着圧は０．１〜２バール絶対圧、有利には０．５〜１．５バール絶対圧、更に有利には１．０〜１．２バール絶対圧である。
【０１８５】
工程（i）、（ii）、（iii）及び（iv）の他に、本発明による方法の工程（A）は、更なる工程を含むこともできる。例えば、該方法は、工程（ii）と（iii）の間でガス混合物G-1を更に処理することを含む。このような処理は、例えば、温度の変化又は圧力の変化又は温度と圧力の変化を含む。
【０１８６】
例えば、ガス混合物の組成物は成分のうち１つの凝縮により変化させてもよい。これらの成分は、例えば水又は溶剤混合物LM-I中に含有される他の化合物であり、有利には本発明による方法の範囲内で工程（i）の溶剤LM-I中で使用される溶剤である。
【０１８７】
本発明によれば、更なる成分をガス混合物G-1又はG-2から除去することができる。例えば、工程（iv）による脱着後にガス混合物G-2中に含有し得る微量の水を圧縮し、それに続く冷却によりガス混合物G-2から除去できる。
【０１８８】
この場合には、ガス混合物G-2は有利には１〜３５バール、有利には２〜３０バール、より有利には３〜２７バールの圧力まで圧縮される。引き続き冷却は、１〜２５℃、特に有利には３〜２０℃、特に４〜１５℃、更に有利には８〜１２℃で実施される。
【０１８９】
本発明による方法の有利な実施態様によれば、収率の損失を減らすためにガス混合物又は溶剤混合物を本発明による方法に戻すこともできる。
【０１９０】
本発明によれば、例えばガス混合物S-2を方法のうち１つの工程に戻すことができる。このような実施態様により、収率の損失を回避するためにガス混合物S-2中に含有される微量の一酸化二窒素を方法に戻すことができる。
【０１９１】
従ってもう１つの実施態様によれば、上記のように本発明はガス混合物S-2が工程（A）に戻される一酸化二窒素を含有するガス混合物を精製する方法に関する。
【０１９２】
上記のように、ガス混合物S-2は有利には本発明による方法の工程（A）に戻される。この場合に、本発明の範囲内では、ガス混合物S-2と他のガス混合物が混合される。その際に、場合によりガス混合物S-2に含有されている一酸化二窒素を回収できるように、ガス混合物S-2を工程（A）に戻すのが有利である。従って、本発明の範囲内では、ガス混合物S-2を吸着に供給するガス混合物、特にガス混合物G-0又はガス混合物G-1と混合するのが有利である。よって、本発明の範囲内ではガス混合物S-2を工程（A）の工程（i）又は（iii）に戻すのが有利である。
【０１９３】
従って、もう１つの実施態様によれば、上記のように本発明はガス混合物S-2を工程（A）の工程（i）又は（iii）に戻す、一酸化二窒素を含有するガス混合物の精製方法に関する。
【０１９４】
この場合に、本発明による方法の個々の工程での圧力は、ガス混合物S-2を工程（A）に戻すためにポンプ又はコンプレッサーが必要ないよう選択されるのが有利である。従って、工程（II）は例えば工程（i）又は工程（iii）での圧力よりも０．２〜５バール高い圧力で実施するのが有利である。
【０１９５】
本発明による方法により、得られる組成物中の酸素の割合を著しく減らすことができる。特に、有利な実施態様によればガス混合物S-2を戻すことは、一酸化二窒素の収率を減らすことなく本発明により可能である。
【０１９６】
本発明による方法に得られる一酸化二窒素を含有する液体組成物Z-2は、原則的に全ての用途に使用でき、その際に通常は純粋な一酸化二窒素流、又は不活性ガスと混合した一酸化二窒素流が使用される。特に、組成物Z-2は、例えばEP-A0624565又はDE-A19605211に記載されているようにメタノールをホルムアルデヒドに酸化するために適切である。従って、本発明は本発明による方法により得られる一酸化二窒素を含有する液体組成物Z-2の、メタノール用の酸化剤としての使用にも関する。
【０１９７】
本発明による方法により、一酸化二窒素を含有する液体組成物が得られ、これは極めて僅かな割合でしか妨げとなる副成分を含有していない。これは特に酸化剤として使用するために有利である。それというのも、妨げとなる副成分の割合が少ないため副反応が殆ど起きず、ひいては極めて純粋な生成物が酸化の際に得られるからである。本発明による精製の後に、該液体組成物は一酸化二窒素の他に適量の二酸化炭素を含有するのが有利である。
【０１９８】
本発明により精製される液体組成物Z-2は、有利には一酸化二窒素を５０〜９９．０体積％、二酸化炭素を１〜２０体積％及び更なるガスを０〜２５体積％含有する。記載した体積％は、それぞれ全体の組成物Z-2に対して示されている。この場合に組成物Z-2の個々の成分の合計は１００体積％になる。
【０１９９】
本発明により精製される組成物Z-2は、一酸化二窒素を６０〜９５体積％、特に一酸化二窒素を７０〜９０体積％、特に有利には７５〜８９体積％含有する。
【０２００】
更に、本発明により精製される組成物Z-2は、一酸化二窒素を１〜２０体積％含有する。有利には、該組成物Z-2は二酸化炭素を５〜１５体積％、特に二酸化炭素を６〜１４体積％含有する。
【０２０１】
有利には、該組成物Z-2は更なるガスを０〜２５体積％、有利には０〜５体積％含有する。本発明により精製される組成物Z-2は、１つ以上の更なるガスを含有することができ、その際記載した量は、含有されるガスの合計に対して示されている。組成物Z-2は、例えば微量の酸素、窒素及び水を含有できる。
【０２０２】
N2O含有の液化ガス混合物中にCO2が不活性ガスとして存在する場合には、一酸化二窒素の自己分解を阻止するために、他の不活性ガスと比べて著しく僅かな量だけの不活性ガス、すなわち二酸化炭素が必要であることが見出された。
【０２０３】
従って、本発明は上記のように本発明による方法により得られる液体組成物Z-2の酸化剤としての、特にオレフィン用の酸化剤としての使用にも関する。
【０２０４】
適切なオレフィンは、例えば、１つ以上の二重結合を有する開鎖又は環式オレフィンである。更に、１つ以上の二重結合を有する環式オレフィン、例えば、シクロペンテン、シクロヘキセン、シクロヘプテン、シクロオクテン、シクロデセン、シクロウンデセン、シクロドデセン、１，４−シクロヘキサジエン、１，６−シクロデカジエン、１，６，１１−シクロペンタデカトリエン、１，５，９，１３−シクロヘキサデカテトラエン又は１，５，９−シクロドデカトリエンである。
【０２０５】
従って、上記のようにもう１つの有利な実施態様によれば本発明はオレフィン用の酸化剤としての使用にも関する。その際に、オレフィンはシクロペンテン、シクロドデセン及び１，５，９−シクロドデカトリエンから成るグループから選択される。
【０２０６】
富化し、かつ精製したN2O含有液体組成物Z-2は、オレフィンをケトンに酸化するために特に適切である。このために、液体組成物Z-2をオレフィンと直接に反応させることができる。
【０２０７】
このような用途には、液体組成物Z-2中での不活性ガスの割合はできるだけ少ないのが有利である。それというのも、そうでない場合には反応器の体積を大きくしなくてはならないからである。
【０２０８】
本発明の酸化剤としての使用に関して、特にオレフィン用の酸化剤としての使用に関しては、酸化、特にオレフィンの酸化が実施されるあらゆる方法により酸化を行うことができる。特に、連続的方法及び反応の方法、バッチ反応も可能である。本発明によれば酸化の反応条件は反応が行われるように選択される。圧力と温度も相応して選択できる。
【０２０９】
有利には、圧力は５００バールまでの範囲内、例えば１〜３２０バール、有利には１００〜３００バール、特に９０〜２８０バールの範囲内である。温度は、有利には１８０〜３２０℃の範囲内、例えば２００〜３００℃の範囲内、特に２４０〜２９０℃である。
【０２１０】
この場合に、酸化は適切な溶剤の存在で実施できる。しかし、本発明によれば溶剤を添加せずに酸化を実施することもできる。
【０２１１】
本発明によれば酸化は、圧力と温度を適切に選択することにより、反応区域内で気相が生じないように実施するのが有利である。
【０２１２】
以下の実施を用いて本発明を詳説する。
【０２１３】
実施例
例１：
１３２０ppmの酸素が溶解した形で装入されている−１３℃に冷却された液体の一酸化二窒素１０kg/hを、内径３０mmの良好に隔離されたテストカラムに−１３℃の温度及び２６バールの圧力で頭頂から供給した。前記カラムは、直径０．５インチのラシヒリングから成る約５００mmの高さの充填物床が備わっていた。このカラムをトリクル法で運転した。すなわち、カラムの底に到達した液体がレベル制御されて放出され、その際に、液体レベルが充填物床の下にある。向流で液体一酸化二窒素中に溶解した酸素をストリッピングにより除去するために充填物床の下に気体状の窒素をカラムに導入した。酸素で負荷したストリップガスをカラムの頭頂で圧力を制御しながら除去した。
【０２１４】
この場合に、窒素量が変化し、その都度の設定で塔底を流出する液体の酸化二窒素の全体量を測定した。そこからサンプルを取り出し、それぞれの場合に酸素含有量を決定した。
【０２１５】
以下の結果が得られた。
【０２１６】
【表３】
0005518044.tif 000004
【０２１７】
この例は、少量のストリッピングガスでさえも、液体一酸化二窒素中の酸素含有量を著しく下げることができたことを示している。
【０２１８】
ストリッピングガスでの一酸化二窒素の損失は僅かであり、かつストリッピングガスを以前の方法工程に戻すことにより更に下げることができる。
【０２１９】
例２：N2Oの単離及び精製方法
N2Oの原料として、硝酸プラントのオフガスを使用した。部分的にアジピン酸プラントのオフガスを用いて、かつ部分的に純粋なNOを用いて運転した。このオフガスから２６．２t/hを初めに２５バールに圧縮し、かつ３５℃に冷却した。その際に、なお少量の硝酸を含有する凝縮した水を除去し、かつ廃棄した。
【０２２０】
残った圧縮ガス流（２６．１t/h）は、N2８６．４体積％、N2O８．１体積％、O2３．１体積％、CO2１．１体積％を主成分として含有していた。この流を、高さ２２．７m及び直径５．５mを有し、ポールリングで充填された吸着カラムの塔底に供給した。これに向流で水２２９０t/hを３５℃の温度で上から供給した。吸着されなかったガスを減圧タービンにより再び硝酸プラントのオフガスラインにおいて減圧した。
【０２２１】
１番目の脱着塔内の減圧タービンにより負荷した吸着剤を１．１バールまで減圧した。脱着塔は、直径３．６m及び高さ１１．１mを有し、かつポールリングで充填した。水を吸着塔に送り戻した。この循環では、２５％濃度の水酸化ナトリウム溶液を添加することによりpHを６〜７の間に保持した（キャリブレートしたガラス電極を用いてオンラインで測定）。平均で水酸化ナトリウム溶液が約４４kg/h消費された。
【０２２２】
塩（亜硝酸ナトリウム、硝酸ナトリウム及び炭酸水素ナトリウム）の蓄積を回避するために、水のサイクルから２t/hをパージし、かつ新たな脱イオン水と交換した。水の循環において熱交換を用いて水の水温を調節した。
【０２２３】
１番目の脱着塔の頭頂で得られたガス（２．４t/h）は、N2O５９．５体積％、N2２４．２体積％、CO2７．５体積％、水５．２体積％及びO2３．０体積％を主成分として含有していた。このガスを再び２５バールまで圧縮し、かつ３５℃まで冷却した。その際に、凝縮した水を除去し、かつ廃棄した。次に圧縮したガス流を、部分凝縮ならびにストリッピングから戻したガス流と一緒に、２番目の吸収器中の底で加えた。吸収器は、直径１．９m及び高さ１４．３mを有し、かつパルリングで充填しておいた。これに向流で、水（３５℃の温度で２７４t/a）を吸収剤として吸収器に加えた。
【０２２４】
吸着されなかったガスを減圧し、かつ１番目の吸着器のオフガスと一緒に硝酸プラントのオフガスラインにおいて減圧した。
【０２２５】
次に負荷した吸着剤を２番目の脱着塔内で１．１バールまで減圧した。水を吸着塔に戻した。pH値の下降を回避するために、水を吸着塔に戻した。pHの降下を回避するために、２２５kg/hを水の循環からパージし、かつ新たな脱イオン水と交換した。水の循環において熱交換を用いて水温を調節した。
【０２２６】
２番目の脱着塔の頭頂で得られたガス（２．９t/h）は、N2O８１．７体積％、CO2１０．７体積％、水５．３体積％、N2１．７体積％及びO2０．４５体積％を主成分として含有していた。このガスを再び２６バールまで圧縮し、かつ１３℃まで冷却した。その際に凝縮した水を除去し、かつ廃棄した。
【０２２７】
次に圧縮したガス流（２．８t/h）を、冷却した水／グリコール混合物を用いてジャケット側で運転される直立の管束熱交換器に通し、ここで−１２℃まで冷却した。この場合に、凝縮された流（２０６０kg/h）は、N2O８７．９体積％、CO2１１．４体積％、水０．３体積％、N2０．３体積％及びO2０．１４体積％を主成分として含有していた。
【０２２８】
熱交換器の管を融かすために、A/B様式で運転される２つの平行した熱交換器を使用した。融解運転を加速するために、熱交換器に電気ヒーターを備えた。凝縮していないフラクション（７９０kg/h）は、N2O８１．５体積％、CO2１１．２体積％、N2５．６体積％及びO2１．３体積％を主成分として含有し、かつ先に記載したような２番目の吸着器の入口に戻した。
【０２２９】
トリクル法にて２６バールで運転されているストリップカラム内で、凝縮された流を向流で窒素（４kg/h1、液体N2O供給物中O2のN2／molの１９molに相応する）でストリッピングした。ストリップカラムは、直径０．３５m及び高さ４．１５mを有し、かつ３５０m2／m3の比表面性を有する金属から成る構造化されたパッキングが備えられている（充填長さ：３ｍ）。カラムの頭頂のストリッピングガス（２６０kg/h）は、N2O７８．４体積％、CO2１０．８体積％、N2９．６体積％及びO2１．０体積％を主成分として含有し、かつ先に記載したような２番目の吸着器の入口に戻した。
【０２３０】
ストリップカラムの塔底での液体生成物（１８３５kg/h）は、N2O８６．７体積％、CO2１１．１体積％、N2１．９体積％を主成分として、かつO2１００体積ppmだけを含有していた。
【０２３１】
ストリップカラムの使用により、液体N2O中のO2含有量を１４倍減らすことができた。この場合にN2O：O2のモル比は、６３０からほぼ７３００mol／molに増大した。ストリッピングガスを２番目の吸着塔に戻すことで、単離収率は高いままであった。N2Oの単離収率は９６．２％であった（脱着後の圧縮ガスに対して）。
【０２３２】
濃縮かつ精製したN2Oは、例えば１，５，９−シクロドデカジエンのようなオレフィンの酸化に使用できる。
【０２３３】
例３：１．５，９−シクロドデカトリエンの分解におけるO2の影響
１．５，９−シクロドデカトリエンの分解におけるO2の影響を試験するために、まず工業用の１．５，９−シクロドデカトリエン５００ｇを、磁気撹拌機、ガス投入管及び還流冷却器を備えておいた１０００mlガラスフラスコに予め装入した。次にこのフラスコを油浴中１８０℃まで加熱し、かつBrooks型質量流量計を用いてガス投入管を介して合成空気２リットル（STP）／時を通した。
【０２３４】
このオフガスの量とその組成物を入口で測定した。更に、液体から一定の間隔でサンプルを取り出し、かつガスクロマトグラフィーにより分析した。オフガス分析から、１１mmol／時のO2消費が計算された。溶液中の１，５，９−シクロドデカトリエンの含有量は２％／時で減少した。これは、O2１mol当たり１．１molの１，５，９−シクロドデカトリエンが分解されたことを意味する。この場合に、１，５，９−シクロドデカトリエンの少量のモノエポキシドとは異なり、定義した生成物を形成せずにポリマーの析出物だけを形成した。コントロール試験は、合成空気の代わりに窒素だけを泡立たせて入れた場合には、１，５，９−シクロドデカトリエンの含有量の減少が観察されないことを示した。
【０２３５】
この試験は、１，５，９−シクロドデカトリエンをN2Oで酸化するために必要な温度（約２５０℃）を著しく下回る温度でさえも、酸素が１，５，９−シクロドデカトリエンと反応したことを示している。この場合にポリマーの析出物が形成され、反応器の詰まりにつながる。従って、高い選択率を達成し、かつ反応器内の析出を回避するために、出来るだけ僅かなO2を含有しているN2O含有ガス混合物を酸化剤として使用することが極めて重量である。
【０２３６】
例４：４，８−シクロドデカジエノンの分解におけるO2の影響
４，８−シクロドデカジエノン（N2Oでの１，５，９−シクロドデカトリエンの酸化から得られる生成物）の分解におけるO2の影響を試験するために、まず４，８−シクロドデカジエノン（約９８％、異性体混合物として）５００gを、磁気撹拌機、ガス投入管及び還流冷却器を備えておいた１０００mlガラスフラスコに予め装入した。次にこのフラスコを油浴中１８０℃まで加熱し、かつ質量流量計を用いてガス投入管を介して合成空気２リットル（STP）／時を通した。
【０２３７】
オフガス量とその組成物を出口で測定した。更に、液体から一定の間隔でサンプルを取り出し、かつガスクロマトグラフィーにより分析した。オフガス分析から、８mmol／時のO2消費が計算された。溶液中の４，８−シクロドデカジエノン含有量は１．６％／時で減少した。これは、O2１mol当たり１．２molの４，８−シクロドデカジエノンが分解されたことを意味する。この場合に定義づけられた生成物もポリマーの析出物も形成されなかった。コントロール試験では、空気の代わりに窒素だけを泡立たせて入れた場合に４，８−シクロドデカジエノン含有量の減少は観察されなかったことが示された。
【０２３８】
この試験は、１，５，９−シクロドデカトリエンをN2Oで酸化して４，８−シクロドデカジエノンするために必要な温度（約２５０℃）を著しく下回る場合でも、酸素は４，８−シクロドデカジエノンと反応することを示した（予想していたように、１，５，９−シクロドデカトリエンとの場合よりも幾分ゆっくりであるが）。従って、高い選択率を達成するために出来るだけ僅かなO2を有するN2O含有ガス混合物を酸化剤として使用することが重要である。
【０２３９】
例５：O2２００ppmだけを含有するN2O含有ガス混合物での１，５，９−シクロドデカトリエンの酸化
N2Oで１，５，９−シクロドデカトリエンを連続的に酸化するために、連続して連結した７個のジャケット付きチューブコイルから成るジャケット付き管状反応器を使用した。反応管は内径６mmを有し、かつ各々のチューブコイルの長さは５．３２mであった。従って、全体の反応容積は１．０５リットルであった。ジャケット内では、熱媒体オイルが循環していて、その温度はサーモスタットにより２５３℃で一定に保持しておいた。熱媒体オイルの循環は、オイル入口とオイル出口の温度差が２Ｋ未満であるように選択した。熱媒体オイルは反応体に対して向流で通した。反応圧を１００バールで一定に保持する圧力制御バルブを反応器の出口に備えた。
【０２４０】
反応体（１，５，９−シクロドデカトリエン、Degussa社の市販製品、及びLinde社の医薬品用のN2O、分析によればO2２００ppmを含有）を適切な供給ポンプ（膜ピストンポンプ）を用いて送り、かつ反応器に到達する前に、反応器の前で室温にてスタチックミキサー内で混合した。反応器の入口で１，５，９−シクロドデカトリエンとN2Oの間のモル比が６．２mol/molであるように、かつ滞留時間（室温及び１００barでの反応体の体積流量／反応器の体積として定義）が０．６５時間であるように供給速度を調節した。平衡が開始する前に、反応器が一定の状態になるまで反応を行った（約６時間）。エラーを最小にするために、平衡時間は常に２４時間であった。
【０２４１】
圧力制御バルブの下方に向かって、冷却した（約２０℃）相分離器内で反応器の排出物を減圧し、かつ生成物（ガスと液体の両方）を分析した。１，５，９−シクロドデカトリエンの転化率は１３．４％であった。１，５，９−シクロドデカトリエンに対する４，８−シクロドデカジエノンの選択率は９３．４％であった。
【０２４２】
例６：O2４００ppmとCO2８．３体積％を有するN2O含有ガス混合物での１，５，９−シクロドデカトリエンの酸化
反応体としてLinde社のガス混合物（N2O中、CO2８．３体積％及びO2４００ppm含有）を使用して例５を繰り返した。
【０２４３】
１，５，９−シクロドデカトリエンの転化率は１３．４％であった。１，５，９−シクロドデカトリエンに対する４，８−シクロドデカジエノンの選択率は９３．８％であった。
【０２４４】
測定の正確度の範囲内で、CO2の存在及び著しく増大した量は、反応において著しい影響を有さなかった。
【０２４５】
比較例７：O2２体積％を有するN2O含有ガス混合物での１，５，９−シクロドデカトリエンの酸化
反応体としてLinde社のガス混合物（N2O中、O2２体積％を有する）を使用して例５を繰り返した。
【０２４６】
この供給物を用いた場合には反応を安定に運転することができなかった。反応器における圧力差が連続的に増大し、かつ反応器が詰まったので７２時間後に試験を中断しなくてはならなかった。１番目のコイルを取り外し、断片に切断した。反応器の入口の後ろ３０〜８０cmの間で管がポリマーの析出物で殆ど完全に詰まっているのが見つかった。N2O中、このような高濃度のO2を用いると、１，５，９−シクロドデカトリエンの酸化の安定な実施は不可能であった。
【０２４７】
比較例８：O2１３００体積ppmを有するN2O含有ガス混合物での１，５，９−シクロドデカトリエンの酸化
反応体としてLinde社のガス混合物（N2O中、O2１３００体積ppmを有する）を使用して例５を繰り返した。
【０２４８】
４２６時間にわたる供給で安定に反応を行うことができた。この場合に、反応器における圧力差は一定のままであった。コントロールのために、再び一番目のコイルを取り外し、かつ断片に切断した。壁にはポリマーが析出しなかった。
【０２４９】
１４．６％での１，５，９−シクロドデカトリエンの転化率は、本発明の試験（１３．４％）よりも高かったが、４，８−シクロドデカジエノンの選択率は９１．５％であった。すなわち、本発明による試験のものよりもほぼ２％低かった（９３．４％）。
【０２５０】
この試験は、使用されるN2O中のO2の含有量を最小限にすることが重要であることをまたしても示した。